(57)【要約】【課題】  Ｘ線画像の信号を特定の通信プロトコルを利用して送信するときに、複数の信号出力部からのＸ線画像を選択的に表示部に表示する場合においても、切替に要する時間を短縮し、装置の操作性を向上させることが可能なＸ線画像診断装置を提供する。【解決手段】  第３変換部５３は、第１変換部５１からのＸ線画像の信号と第２変換部５２からの固定パターンの信号とを同時に受信しておき、第１変換部５１Ｘ線画像の信号を選択して表示部８に出力する。これにより、Ｘ線画像の信号をイーサネットのプロトコルを利用して送信するときに、フラットパネルディテクタ１７により撮影している現在のＸ線画像またはハードディスク３３に保存されている過去のＸ線画像のうち、現在のＸ線画像を表示部８に表示することが可能となる。【選択図】        図２
2019187696.tif 000002
【特許請求の範囲】
【請求項１】
Ｘ線画像のデータをデジタル映像信号として出力する第１信号出力部と、
前記第１信号出力部から出力されたデジタル映像信号を特定の通信プロトコルに適合した信号に変換して出力する第１変換部と、
Ｘ線画像のデータをデジタル映像信号として出力する第２信号出力部と、
前記第２信号出力部から出力されたデジタル映像信号を前記特定の通信プロトコルに適合した信号に変換して出力する第２変換部と、
前記第１変換部および前記第２変換部とネットワークを介して接続され、前記第１変換部から出力された信号および前記第２変換部から出力された信号をデジタル映像信号に変換した後、表示部に出力することにより、前記表示部にＸ線画像を表示させるための第３変換部と、
を備えたＸ線画像診断装置であって、
前記第１変換部および前記第２変換部は、各々、Ｘ線画像のデータにかえて固定パターンのデータを出力する固定パターン発生部を備え、
前記第１変換部、前記第２変換部および前記第３変換部に切替指令信号を送信し、前記第１変換部および前記第２変換部のうちの一方からＸ線画像のデータを出力させるとともに、前記第１変換部および前記第２変換部のうちの他方から固定パターンのデータを出力させ、前記第１変換部または前記第２変換部のうちの一方から出力されたＸ線画像を表す信号を、前記第３変換部によりデジタル映像信号に変換した後、前記表示部に出力することにより前記表示部にＸ線画像を表示させる切替制御部を備えることを特徴とするＸ線画像診断装置。
【請求項２】
請求項１に記載のＸ線画像診断装置において、
前記特定の通信プロトコルは、前記第１変換部および前記第２変換部と前記第３変換部との間の信号の送受信の開始時と終了時に接続処理と切断処理の実行が要求されるとともに、前記第１変換部および前記第２変換部と前記第３変換部との間で一定時間だけ信号の送受信がない時に切断処理が自動的に実行されるプロトコルであるＸ線画像診断装置。
【請求項３】
請求項１または請求項２に記載のＸ線画像診断装置において、
前記第１信号出力部は、Ｘ線検出器に接続されるとともに、
前記第２信号出力部は、前記Ｘ線検出器により過去に検出されたＸ線画像を記憶する画像記憶部に接続されるＸ線画像診断装置。
【発明の詳細な説明】
【技術分野】
【０００１】
この発明は、複数の信号出力部から出力されるＸ線画像のデータを選択的に表示部に送信し、表示部にＸ線画像を表示するＸ線画像診断装置に関する。
【背景技術】
【０００２】
例えば、Ｘ線管とＸ線検出器を備えたＣ型アームを利用して被検者の血管画像のＸ線透視を実行するＸ線血管撮影装置や、被検者を載置して傾動する天板に対してＸ線管とＸ線検出器を移動させることによりＸ線透視を実行する透視撮影台等のＸ線画像診断装置においては、現在、透視しているＸ線画像と、過去に透視したＸ線画像とを切り替えて表示することがある。
【０００３】
特許文献１には、記憶部に記憶された過去の撮影画像と現在の撮影画像とを表示部に表示する超音波診断装置が開示されている。
【先行技術文献】
【特許文献】
【０００４】
【特許文献１】特開２００６−５５３２６号公報
【発明の概要】
【発明が解決しようとする課題】
【０００５】
Ｘ線検出器により撮影中の現在のＸ線画像とハードディスク等に記憶された過去のＸ線画像とを表示部に切り替えて表示するＸ線画像診断装置においては、Ｘ線検出器およびハードディスクを、各々、画像処理部を介して表示部と接続し、画像処理部からＤＶＩ等規格による映像信号を表示部に送信することにより、表示部にＸ線画像を表示するようにしている。そして、現在のＸ線画像と過去のＸ線画像との切り換えを行うときには、信号の切り替え器を使用して、表示すべき画像信号を選択している。
【０００６】
しかしながら、ＤＶＩ等規格による映像信号の送信時に、送信距離が例えば１０メートルを超える場合には、増幅機構等の特別な構成を採用しないと、映像信号を適正に送信できないという問題がある。また、複数の映像信号を表示部に送信するためには、個別に、映像信号を送信するためのケーブルが必要となるという問題も生じている。
【０００７】
このような問題に対応するため、Ｘ線検出器やハードディスク等と表示部とをＬＡＮにより接続し、Ｘ線画像をイーサネット（Ｅｔｈｅｒｎｅｔ）のプロトコルに適合した信号を利用して送信することが考えられる。なお、「ＥＴＨＥＲＮＥＴ／イーサネット」は、富士ゼロックス株式会社の特定の指定商品についての登録商標である。
【０００８】
図５は、Ｘ線画像をイーサネットのプロトコルに適合した信号を利用して送信するための構成の一例を示すブロック図である。
【０００９】
Ｘ線検出器としてのフラットパネルディテクタ（Ｆｌａｔ  Ｐａｎｅｌ  Ｄｅｔｅｃｔｏｒ／ＦＰＤ）１７により検出されたＸ線画像のデータは、プロセッサを備えたコンピュータ等から構成される第１信号出力部３１を介して、ＤＶＩ規格に適合したデジタル映像信号として第１変換部４１に出力される。第１変換部４１は、このデジタル映像信号をイーサネットのプロトコルに適合した信号に変換して出力する。一方、ハードディスク３３に記憶されている過去のＸ線画像のデータは、プロセッサを備えたコンピュータ等から構成される第２信号出力部３２を介して、ＤＶＩ規格に適合したデジタル映像信号として第２変換部４２に出力される。第２変換部４２は、このデジタル映像信号をイーサネットのプロトコルに適合した信号に変換して出力する。
【００１０】
第１変換部４１および第２変換部４２は、装置全体を制御するコンソール部９および第３変換部４３と、ハブ４４を介して、イーサネットのプロトコルに適合した信号を送受信するＬＡＮにより接続されている。第３変換部４３は、イーサネットのプロトコルに適合した信号をＤＶＩ規格に適合したデジタル映像信号に変換して、液晶表示パネル等の表示部８に送信し、表示部８にＸ線画像を表示する。
【００１１】
なお、イーサネットのプロトコルに適合した信号としては、デジタル映像信号の長距離伝送を高信頼性で実施することができるＧｉｇＥ  Ｖｉｓｉｏｎのプロトコルに適合した信号を採用することができる。このＧｉｇＥ  Ｖｉｓｉｏｎのプロトコルにおいては、欠落した信号を補償する機能を有する。一方、このＧｉｇＥ  Ｖｉｓｉｏｎのプロトコルは、信号の送受信の開始時と終了時に接続処理と切断処理の実行が要求されるとともに、一定時間だけ信号の送受信がない時に切断処理が自動的に実行されるプロトコルとなっている。
【００１２】
このような構成において、第１信号出力部３１から出力されるデジタル映像信号を表示部８に表示するときには、最初に、第１変換部４１と第３変換部４３との間でＧｉｇＥ  Ｖｉｓｉｏｎのプロトコルに適合した接続処理を行う。そして、第１変換部４１において第１信号出力部３１から入力したデジタル映像信号をデータ圧縮し、ＧｉｇＥ  Ｖｉｓｉｏｎのプロトコルに適合した信号に変換し出力する。一方、第３変換部４３においては、ＧｉｇＥ  Ｖｉｓｉｏｎのプロトコルに適合した信号を元のＤＶＩ規格に適合したデジタル映像信号に変換し、圧縮されたデータの復元（解凍）を行った後、表示部８に出力して表示部８にＸ線画像を表示する。
【００１３】
一方、このような構成において、表示部８に表示するＸ線画像をフラットパネルディテクタ１７により検出されたＸ線画像からハードディスク３３に記憶されている過去のＸ線画像に切り替える場合においては、オペレータがコンソール部９を操作することにより、コンソール部９から第３変換部４３に対して表示すべきＸ線画像を切り替える司令が送信される。
【００１４】
このような場合において、表示部８に表示するＸ線画像を切り替えるときに、第１変換部４１からの信号と第２変換部４２からの信号とを第３変換部４３において同時に受信しておき、表示部８に表示したいＸ線画像のみを第３変換部４３から表示部８に出力するという方法が考えられる。しかしながら、このような構成を採用した場合においては、伝送するＸ線画像のパターンによってはネットワークの帯域が足りず、表示部８に表示するＸ線画像のフレームレートが遅くなる等の、Ｘ線画像を適正に表示することができないという問題が生ずる。
【００１５】
このような問題を解消するためには、第１変換部４１と第３変換部４３とにおいてＧｉｇＥ  Ｖｉｓｉｏｎのプロトコルの切断処理を行った後、第２変換部４２と第３変換部４３においてＧｉｇＥ  Ｖｉｓｉｏｎのプロトコルの接続処理を行う必要がある。しかしながら、このような切断処理と接続処理を行った場合には、オペレータがコンソール部９に対してＸ線画像の変更を操作してから、切断処理および接続処理が完了するまで時間がかかるため、その間は表示部８に対する映像信号が切り替わらず、装置の操作性が著しく劣化するという問題が生ずる。
【００１６】
この発明は上記課題を解決するためになされたものであり、Ｘ線画像の信号を特定の通信プロトコルを利用して送信するときに、複数の信号出力部からのＸ線画像を選択的に表示部に表示する場合においても、切替に要する時間を短縮し、装置の操作性を向上させることが可能なＸ線画像診断装置を提供することを目的とする。
【課題を解決するための手段】
【００１７】
請求項１に記載の発明は、Ｘ線画像のデータをデジタル映像信号として出力する第１信号出力部と、前記第１信号出力部から出力されたデジタル映像信号を特定の通信プロトコルに適合した信号に変換して出力する第１変換部と、Ｘ線画像のデータをデジタル映像信号として出力する第２信号出力部と、前記第２信号出力部から出力されたデジタル映像信号を前記特定の通信プロトコルに適合した信号に変換して出力する第２変換部と、前記第１変換部および前記第２変換部とネットワークを介して接続され、前記第１変換部から出力された信号および前記第２変換部から出力された信号をデジタル映像信号に変換した後、表示部に出力することにより、前記表示部にＸ線画像を表示させるための第３変換部と、を備えたＸ線画像診断装置であって、前記第１変換部および前記第２変換部は、各々、Ｘ線画像のデータにかえて固定パターンのデータを出力する固定パターン発生部を備え、前記第１変換部、前記第２変換部および前記第３変換部に切替指令信号を送信し、前記第１変換部および前記第２変換部のうちの一方からＸ線画像のデータを出力させるとともに、前記第１変換部および前記第２変換部のうちの他方から固定パターンのデータを出力させ、前記第１変換部または前記第２変換部のうちの一方から出力されたＸ線画像を表す信号を、前記第３変換部によりデジタル映像信号に変換した後、前記表示部に出力することにより前記表示部にＸ線画像を表示させる切替制御部を備えることを特徴とする。
【００１８】
請求項２に記載の発明は、請求項１に記載の発明において、前記特定の通信プロトコルは、前記第１変換部および前記第２変換部と前記第３変換部との間の信号の送受信の開始時と終了時に接続処理と切断処理の実行が要求されるとともに、前記第１変換部および前記第２変換部と前記第３変換部との間で一定時間だけ信号の送受信がない時に切断処理が自動的に実行されるプロトコルである。
【００１９】
請求項３に記載の発明は、請求項１または請求項２に記載の発明において、前記第１信号出力部は、Ｘ線検出器に接続されるとともに、前記第２信号出力部は、前記Ｘ線検出器により過去に検出されたＸ線画像を記憶する画像記憶部に接続される。
【発明の効果】
【００２０】
請求項１および請求項２に記載の発明によれば、第１変換部または第２変換部のうちの一方から固定パターンのデータを出力することにより、第３変換部が第１変換部および第２変換部の両方から特定の通信プロトコルに適合した信号を受信した場合においても、ネットワークの帯域を小さなものとすることができ、Ｘ線画像を適正に表示することが可能となる。このため、Ｘ線画像の信号を特定の通信プロトコルを利用して送信するときに、複数の信号出力部からのＸ線画像を選択的に表示部に表示する場合においても、切替に要する時間を短縮し、装置の操作性を向上させることが可能となる。
【００２１】
請求項３に記載の発明によれば、Ｘ線検出器により撮影している現在のＸ線画像と過去のＸ線画像とを、切り替えて表示することが可能となる。
【図面の簡単な説明】
【００２２】
【図１】この発明に係るＸ線画像診断装置の斜視図である。
【図２】この発明に係るＸ線画像診断装置の主要な制御系を示すブロック図である。
【図３】第１変換部５１の機能的構成を示すブロック図である。
【図４】第３変換部５３の機能的構成を示すブロック図である。
【図５】Ｘ線画像をイーサネットのプロトコルに適合した信号を利用して送信するための構成の一例を示すブロック図である。
【発明を実施するための形態】
【００２３】
以下、この発明の実施の形態を図面に基づいて説明する。図１は、この発明に係るＸ線画像診断装置の斜視図である。
【００２４】
このＸ線画像診断装置は、被検者１６の血管のＸ線透視等を実行するものであり、Ｘ線撮影部７と、表示部８と、コンソール部９とを備える。なお、コンソール部９は、Ｘ線透視を実行する検査室とは別の操作室に設置されてもよい。
【００２５】
Ｘ線撮影部７は、その内部にＸ線管を備え、検診台１４上の被検者１６に対してＸ線を照射するＸ線照射部１８と、被検者１６を通過したＸ線を検出するＸ線検出器としてのフラットパネルディテクタ（Ｆｌａｔ  Ｐａｎｅｌ  Ｄｅｔｅｃｔｏｒ／ＦＰＤ）１７とを備える。Ｘ線照射部１８とフラットパネルディテクタ１７とは、略Ｃ字状のアーム１９により支持されている。このアーム１９は、天井２０に固定されたガイド部材２３に案内されることにより一方向に移動するキャリッジ２４に支持されている。さらに、検診台１４の支持部１３付近の床には、Ｘ線の曝射等のＸ線撮影装置の各種の操作を操作者の足によって実行するためのフットスイッチ１５が載置されている。
【００２６】
また、表示部８は、複数のモニター１１とガード部材１２を備え、天井２０から懸垂されている。この表示部８は、懸垂機構２２を介して懸垂されており、天井２０に配設されたレール２１により案内されて移動可能となっている。
【００２７】
図２は、この発明に係るＸ線画像診断装置の主要な制御系を示すブロック図である。
【００２８】
フラットパネルディテクタ１７により検出されたＸ線画像のデータは、プロセッサを備えたコンピュータ等から構成される第１信号出力部３１を介して、ＤＶＩ規格に適合したデジタル映像信号として第１変換部５１に出力される。第１変換部５１は、このデジタル映像信号を通信プロトコルとしてのイーサネットのプロトコルに適合した信号に変換して出力する。一方、ハードディスク３３に記憶されている過去のＸ線画像のデータは、プロセッサを備えたコンピュータ等から構成される第２信号出力部３２を介して、ＤＶＩ規格に適合したデジタル映像信号として第２変換部５２に出力される。第２変換部５２は、このデジタル映像信号をイーサネットのプロトコルに適合した信号に変換して出力する。
【００２９】
第１変換部５１および第２変換部５２は、装置全体を制御するコンソール部９および第３変換部５３と、ハブ４４を介して、イーサネットのプロトコルに適合した信号を送受信するＬＡＮにより接続されている。第３変換部５３は、イーサネットのプロトコルに適合した信号をＤＶＩ規格に適合したデジタル映像信号に変換して、表示部８に送信し、表示部８にＸ線画像を表示する。なお、この発明に係るＸ線画像診断装置においては、コンソール部９は、後述するＸ線画像の切替を実行するための切替制御部９１を備える。
【００３０】
なお、通信プロトコルとしてのイーサネットのプロトコルに適合した信号としては、デジタル映像信号の長距離伝送を高信頼性で実施することができるＧｉｇＥ  Ｖｉｓｉｏｎのプロトコルに適合した信号を採用することができる。このＧｉｇＥ  Ｖｉｓｉｏｎのプロトコルにおいては、欠落した信号を補償する機能を有する。一方、このＧｉｇＥ  Ｖｉｓｉｏｎのプロトコルは、信号の送受信の開始時と終了時に接続処理と切断処理の実行が要求されるとともに、一定時間だけ信号の送受信がない時に切断処理が自動的に実行されるプロトコルとなっている。
【００３１】
図３は、第１変換部５１の機能的構成を示すブロック図である。なお、第２変換部５２もこれと同様の構成を有する。
【００３２】
この第１変換部５１は、固定パターンを発生するための固定パターン発生部６４と、第１信号出力部３１から送信されたＤＶＩ規格に適合したデジタル映像信号と固定パターン発生部６４からの固定パターンの信号とを選択する切替部６１と、デジタル映像信号を圧縮する圧縮部６２と、圧縮後のＤＶＩ規格に適合したデジタル映像信号をＧｉｇＥ  Ｖｉｓｉｏｎのプロトコルに適合した信号に変換して出力するためのイーサネット変換部６３とを備える。
【００３３】
図４は、第３変換部５３の機能的構成を示すブロック図である。
【００３４】
この第３変換部５３は、入力されたＧｉｇＥ  Ｖｉｓｉｏｎのプロトコルに適合した信号をＤＶＩ規格に適合したデジタル映像信号に変換するＤＶＩ変換部６５と、ＤＶＩ規格に適合したデジタル映像信号を復元（解凍）する復元部６６とを備える。
【００３５】
このような構成を有するＸ線画像診断装置においては、第１変換部５１と第３変換部５３との間でＧｉｇＥ  Ｖｉｓｉｏｎのプロトコルに適合した接続処理を行うとともに、第２変換部５２と第３変換部５３との間でＧｉｇＥ  Ｖｉｓｉｏｎのプロトコルに適合した接続処理を行う。すなわち、第１変換部５１と第３変換部５３および第２変換部５２と第３変換部５３の接続を同時に実行する。
【００３６】
このＸ線画像診断装置においては、フラットパネルディテクタ１７により撮影された現在のＸ線画像と、ハードディスク３３に保存された過去のＸ線画像のいずれを表示部８に表示するかについての設定は、オペレータがコンソール部９を操作する。これにより、コンソール部９における切替制御部９１が、第１変換部５１、第２変換部５２および第３変換部５３に対して、表示部８に表示する画像についての指令を送信する。
【００３７】
すなわち、第１信号出力部３１から出力されるデジタル映像信号を表示部８に表示するときには、切替制御部９１は、第１変換部５１に対して、第１変換部５１における切替部６１が、第１信号出力部３１から送信されたＤＶＩ規格に適合したデジタル映像信号と、固定パターン発生部６４からの固定パターンの信号とのうち、第１信号出力部３１から送信されたＤＶＩ規格に適合したデジタル映像信号を選択する指令を送信する。また、切替制御部９１は、第２変換部５２に対して、第２変換部５２における切替部６１が、第２信号出力部３２から送信されたＤＶＩ規格に適合したデジタル映像信号と、固定パターン発生部６４からの固定パターンの信号とのうち、固定パターン発生部６４からの固定パターンの信号を選択する指令を送信する。これと同時に、切替制御部９１は、第３変換部５３に対して、第１変換部５１から送信される信号を表示部８に出力する指令を送信する。
【００３８】
これにより、第３変換部５３には、第１信号出力部３１から入力されたデジタル映像信号をデータ圧縮してＧｉｇＥ  Ｖｉｓｉｏｎのプロトコルに適合した信号に変換した信号が第１変換部５１から送信されるとともに、固定パターンの信号が第２変換部５２から送信される。第３変換部５３は、これらの信号のうち、第１信号出力部３１からのＸ線画像の信号を表示部８に出力する。
【００３９】
Ｘ線透視を実行しているときのＸ線画像において圧縮率が顕著に悪い画像の場合には、ネットワークの帯域を６００Ｍｂｐｓ程度必要とする。これに対して、固定パターンとしてすべての画素データを０とした固定パターンのＸ線画像に変換すると、必要となるネットワーク帯域は３Ｍｂｐｓ程度まで圧縮される。このため、第１変換部５１からの信号と第２変換部５２からの信号とを同時に受信しておき、第３変換部５３が第１変換部５１からの信号を選択してこれを表示部８に出力するという方法を採用した場合においても、ネットワークの帯域が不足することはなく、表示部８に表示するＸ線画像のフレームレートが遅くなる等の問題が発生することはない。
【００４０】
一方、このような構成において、表示部８に表示するＸ線画像をフラットパネルディテクタ１７により検出されたＸ線画像からハードディスク３３に記憶されている過去のＸ線画像に切り替える場合においては、オペレータがコンソール部９を操作することにより、切替制御部９１は、第２変換部５２に対して、第２変換部５２における切替部６１が、第２信号出力部３２から送信されたＤＶＩ規格に適合したデジタル映像信号と、固定パターン発生部６４からの固定パターンの信号とのうち、第２信号出力部３２から送信されたＤＶＩ規格に適合したデジタル映像信号を選択する指令を送信する。また、切替制御部９１は、第１変換部５１に対して、第１変換部５１における切替部６１が、第１信号出力部３１から送信されたＤＶＩ規格に適合したデジタル映像信号と、固定パターン発生部６４からの固定パターンの信号とのうち、固定パターン発生部６４からの固定パターンの信号を選択する指令を送信する。これと同時に、切替制御部９１は、第３変換部５３に対して、第２変換部５２から送信される信号を表示部８に出力する指令を送信する。
【００４１】
これにより、第３変換部５３には、第２信号出力部３２から入力されたデジタル映像信号をデータ圧縮してＧｉｇＥ  Ｖｉｓｉｏｎのプロトコルに適合した信号に変換した信号が第２変換部５２から送信されるとともに、固定パターンの信号が第１変換部５１から送信される。第３変換部５３は、これらの信号のうち、第２信号出力部３２からのＸ線画像の信号を表示部８に出力する。
【００４２】
以上のように、この発明に係るＸ線画像診断装置によれば、第１変換部５１および第２変換部５２と第３変換部５３との接続処理および切断処理を実施することなく、表示部８に表示するＸ線画像を切り替えることができる。ＧｉｇＥ  Ｖｉｓｉｏｎのプロトコルに適合した接続処理および切断処理には、例えば、８秒程度の時間が必要となるが、これを省略することにより、表示部８に表示するＸ線画像の切替時間を１００ミリ秒程度まで短縮することが可能となる。
【００４３】
なお、Ｘ線画像についての信号を固定パターンに切り替えるのではなく、Ｘ線画像の信号の送信を停止するという手法も考えられるが、ＧｉｇＥ  Ｖｉｓｉｏｎのプロトコルにおいては、一定時間映像の入力がなければ自動的に切断処理を実行することから、この手法を採用することは不可能である。
【００４４】
以上のように、この発明に係るＸ線画像診断装置においては、第１変換部５１または第２変換部５２のうちの一方から固定パターンのデータを出力することにより、第３変換部５３が第１変換部５１および第２変換部５２の両方からイーサネットのプロトコルに適合した信号を受信した場合においても、ネットワークの帯域を小さなものとすることができ、Ｘ線画像を適正に表示することが可能となる。このため、Ｘ線画像の信号をイーサネットのプロトコルを利用して送信するときに、フラットパネルディテクタ１７により撮影している現在のＸ線画像とハードディスク３３に保存されている過去のＸ線画像とを切り替えて表示する場合においても、切替に要する時間を短縮し、装置の操作性を向上させることが可能となる。
【００４５】
なお、上述した実施形態においては、フラットパネルディテクタ１７により撮影している現在のＸ線画像とハードディスク３３に保存されている過去のＸ線画像とを切り替える場合について説明したが、そのたの画像間で切替を実行する場合にこの発明を適用してもよい。
【００４６】
また、上述した実施形態においては、略Ｃ字状のアーム１９を利用して被検者１６の血管画像のＸ線透視を実行するＸ線血管撮影装置にこの発明を適用した場合について説明したが、この発明を、被検者１６を載置して傾動する天板に対してＸ線管とＸ線検出器を移動させることによりＸ線透視を実行する透視撮影台や、その他のＸ線撮影装置に適用することも可能である。
【符号の説明】
【００４７】
７      Ｘ線撮影部
８      表示部
９      コンソール部
１１    モニター
１４    検診台
１６    被検者
１７    フラットパネルディテクタ
１８    Ｘ線照射部
３１    第１信号出力部
３２    第２信号出力部
３３    ハードディスク
４４    ハブ
５１    第１変換部
５２    第２変換部
５３    第３変換部
６１    切替部
６２    圧縮部
６３    イーサネット変換部
６４    固定パターン発生部
６５    ＤＶＩ変換部
６６    復元部
９１    切替制御部
【図１】
2019187696.tif 000003
【図２】
2019187696.tif 000004
【図３】
2019187696.tif 000005
【図４】
2019187696.tif 000006
【図５】
2019187696.tif 000007